(57)【要約】      （修正有）【課題】カキ殻の廃棄量（排出量）を効果的に削減することができるカキ殻の再利用方法を提供する。【解決手段】果樹の育成方法は、果樹１０が植樹された植樹箇所２００の周辺に、カキ殻１１０を構成材料に含む透水性コンクリート１００を配置する。【選択図】図１
2019122333.tif 000002
【特許請求の範囲】
【請求項１】
果樹が植樹された植樹箇所の周辺に、カキ殻を構成材料に含む透水性コンクリートを配置する、果樹の育成方法。
【請求項２】
前記果樹は、前記果物としてリンゴまたは柑橘類の果物を実につける果樹であり、
前記カキ殻で反射させた太陽光により、前記果物の糖度を増加させる、請求項１に記載の果樹の育成方法。
【請求項３】
前記透水性コンクリートは、前記植樹箇所の周囲を囲むように配置される、請求項１または請求項２に記載の果樹の育成方法。
【発明の詳細な説明】
【技術分野】
【０００１】
本発明は、果樹の育成方法に関する。
【背景技術】
【０００２】
カキ殻は、カキの身（食用部分）を食した後、廃棄物として扱われる。一部の市町村では、年間数千トンものカキ殻が排出される。そのため、近年、カキ殻の廃棄処分に対するコストや手間の低減を図ることを目的として「カキ殻の再利用」に注目が集まっている。
【０００３】
カキ殻の再利用方法として、例えば、植栽用の軽石等ともに植物育成床の一部として用いる方法（特許文献１を参照）、カキ殻を粉砕して粉末状に加工し、植物を植樹する培養土に含ませる方法（特許文献２）、透水性コンクリートの構成材料としてカキ殻を利用する方法（特許文献３）などが検討されている。
【先行技術文献】
【特許文献】
【０００４】
【特許文献１】特開２００９−２２２７６８号
【特許文献２】特開平１０−３１３６７８号
【特許文献３】特開２００２−７９２８６号公報
【発明の概要】
【発明が解決しようとする課題】
【０００５】
本発明の発明者等は、カキ殻のさらなる有効活用の可能性を摸索した。その結果、発明者等は、カキ殻が太陽光（日光）を反射する機能を有することを見出し、果樹が実をつける果物の育成への応用方法を発明した。また、発明者等は、カキ殻を構成材料に含む透水性コンクリートを植樹地として利用することにより、様々な効果が発揮されることを見出した。
【０００６】
本発明は、カキ殻を構成材料に含む透水性コンクリートを利用した果樹の育成方法を提供することを目的とする。
【課題を解決するための手段】
【０００７】
本発明に係る果樹の育成方法は、果樹が植樹された植樹箇所の周辺に、カキ殻を構成材料に含む透水性コンクリートを配置することを特徴とする。
【発明の効果】
【０００８】
本発明によれば、植樹箇所の周辺に配置した透水性コンクリートに含まれるカキ殻は、果樹が実をつけた果物に向けて太陽光を反射する。果物は、上空側から太陽光を受けるとともに、地面側からも太陽光を受ける。果物の含有成分（例えば、糖度）は、果物に対する日照量が増加することにより、変化する。そのため、本発明は、果物に所望の食味を付与することができる。また、本発明は、カキ殻を再利用することにより、カキ殻の廃棄量（排出量）を効果的に削減することができる。
【０００９】
さらに、本発明によれば、カキ殻を構成材料に含む透水性コンクリートを植樹地として利用することにより、果樹園の下草の処理が不要になる、観光を目的とした果樹園などでは果物狩りの際に降雨後でも足元が緩まなくなる、カキ殻のカルシウム成分が溶出して果樹の肥料になる、雨水等が透水性コンクリートを透過するため果樹の根元に水分を提供することができる、といった効果を発揮することができる。
【図面の簡単な説明】
【００１０】
【図１】実施形態に係る果樹の育成方法を説明するための斜視図である。
【発明を実施するための形態】
【００１１】
以下、添付した図面を参照して、本発明の実施形態を説明する。なお、図面の説明において、同一の要素には同一の符号を付し、重複する説明を省略する。また、図面の寸法比率は、説明の都合上誇張されており、実際の比率とは異なる場合がある。
【００１２】
図１に示すように、本実施形態に係る果樹の育成方法（以下、「育成方法」とする）は、果樹１０が植樹された植樹箇所２００の周辺にカキ殻１１０を構成材料に含む透水性コンクリート１００を配置する。透水性コンクリート１００に含まれるカキ殻１１０は、果樹１０が実をつけた果物１１に向けて太陽光を反射する。なお、図中において、カキ殻１１０へ入射する太陽光を矢印ｆ１で例示し、カキ殻１１０が反射した太陽光を矢印ｆ２で例示する。また、カキ殻１１０は、図面において簡略化して図示している。
【００１３】
本実施形態に係る育成方法の対象となる果樹１０は、透水性コンクリート１００に含まれるカキ殻１１０が反射した太陽光の影響により含有成分が変化（含有成分のうち特定のものが増加、減少、一定の水準に維持される等）し得る果物１１であることが好ましい。そのような観点より、果樹１０としては、例えば、リンゴまたは柑橘類の果物（ミカン等）を挙げることができる。リンゴや柑橘類の果物は、太陽光の反射光を受けることにより、含有成分である糖度が増加する。そのため、本実施形態に係る育成方法により育成されたリンゴや柑橘類の果物は、カキ殻１１０による反射光を利用した育成がなされていない果物として比較して、食味が増す。
【００１４】
透水性コンクリート１００としては、カキ殻１１０と主材（セメントペーストや粗骨材）１２０で構成されたものを利用することができる。なお、透水性コンクリート１００は、透水性を備え、かつ、構成材料にカキ殻１１０を含むものであれば、具体的な構成材料（材料の種類、材料の構成比率等）は特に限定されない。
【００１５】
カキ殻１１０の利用形態（形状、大きさ、主材１２０に対するカキ殻１１０の割合、個数、体積、カキ殻１１０の種類等）は、特に限定されない。カキ殻１１０は、例えば、カキの食用部分を取り除いた後、加工等をせずに、そのままの形状を保ったものであってもよいし、カキ殻１１０を破砕した破砕片としたもの、所定の形状に成形したもの、複数のカキ殻１１０を接合したもの等であってもよい。ただし、カキ殻１１０としては、太陽光を好適に反射し得るように、ある程度の大きさを持つもの（微細粉でないようなもの）を利用することが好ましい。
【００１６】
透水性コンクリート１００は、例えば、植樹箇所２００の周囲を囲むように配置することが好ましい。本実施形態においては、果樹１０の周囲を円周状に囲むように透水性コンクリート１００を配置している。そのため、透水性コンクリート１００に含まれるカキ殻１１０は、果樹１０の周囲から果物１１へ向けて太陽光を効率的に反射することができる。なお、透水性コンクリート１００は、例えば、果樹１０を中心にしてその周囲に矩形状に配置したり、楕円状に配置したりすることもでき、その配置形態は特に限定はない。また、透水性コンクリート１００は、予め所定の形状（例えば、立方体や直方体等の形状）に整形したブロックであってもよい。ブロック状に整形した透水性コンクリート１００を果樹１０の周囲に敷設することにより、透水性コンクリート１００の設置作業を簡単かつ円滑に進めることができる。
【００１７】
図１に示すように、植樹箇所（植樹地）２００の一定の範囲（例えば、果樹１０が根を下ろす範囲）は、例えば、肥料等が含まれる植樹用の公知の土１３０で構成することができる。本実施形態では、図１に示すように、果樹１０の周囲を円周状に囲むように土１３０を配置している。なお、植樹用の軽石や中和処理したゼオライト等を土１３０に含まれせることも可能である。
【００１８】
また、透水性コンクリート１００は、果樹１０に果物１１が実をつけた段階で配置してもよいし、実をつける前に配置してもよく、果樹１０の育成において透水性コンクリート１００を配置する時期（タイミング）は、特に限定されない。
【００１９】
以上、実施形態を通じて本発明に係る果樹の育成方法を説明したが、本発明は明細書内で説明した内容のみに限定されるものでなく、特許請求の範囲の記載に基づいて適宜変更することが可能である。
【符号の説明】
【００２０】
果樹  １０、
果物  １１、
透水性コンクリート  １００、
カキ殻  １１０、
主材  １２０、
植樹箇所  ２００。
【図１】
2019122333.tif 000003